(57)【要約】【課題】所望の物質を吸引してハウジング内に装着した袋状体内に効率よく捕集できる吸引捕集装置を提供する。【解決手段】上端に開口部を有する容器本体と、開口部を開閉可能かつ気密に閉塞する密閉蓋部とを有して構成した気密性ハウジングと、ハウジング内を吸引減圧する吸引ブロアとを備える。蓋部の下面に略円形リング状の取付部を設け、袋状体を取付部に嵌合して取外し可能に固定してハウジング内に装着する。蓋部の前記取付部の内側エリアに吸引口部及び吸引される物質を袋状体内に投入する投入口部を設け、吸引口部とブロアとを第１の吸引用管路で接続する。蓋部の前記取付部の外側エリアに吸引口部を設け、この口部と前記管路を第２の吸引用管路で接続する。第１の吸引用管路中にオリフィス等の抵抗手段を介装して設け、第１の吸引用管路の吸引圧力値を第２の吸引用管路の吸引圧力値より小となるように設定する。【選択図】図１
2014117650.tif 000002
【特許請求の範囲】
【請求項１】
所望の物質を吸引して捕集する吸引捕集装置であって、
開口部及び前記開口部を開閉可能、かつ、気密性を保持して閉塞する開閉手段とを有する気密性ハウジングと、
前記ハウジング内を吸引減圧する吸引減圧手段と、
前記ハウジングの天壁部の下面に設けた略円形リング状の取付部と、
入口用開口端部を前記リング状の取付部に嵌合させて前記取付部に取外し可能に固定して前記ハウジング内に収容して装着される袋状体と、
前記リング状の取付部の内側エリアに位置させて前記天壁部に設けた第１の減圧用吸引口部と、
前記リング状の取付部の外側エリアに位置させて前記天壁部に設けた第２の減圧用吸引口部と、
前記リング状の取付部の内側エリアに位置させて前記天壁部に設け、吸引される物質を前記袋状体内に投入させる投入口部と、
前記第１の減圧用吸引口部と前記吸引減圧手段とを接続させる第１の吸引用管路と、
前記第１の吸引用管路中に介装して設け、吸引圧力を調整する抵抗手段と、
一端を前記第２の減圧用吸引口部に接続させると共に他端を前記第１の吸引用管路中の前記抵抗手段と前記吸引減圧手段との間の部位に位置させて前記第１の吸引用管路に接続させて設けた第２の吸引用管路とを備え、
前記抵抗手段により、前記ハウジング内に収容される前記袋状体の外側部の圧力値を前記袋状体内の圧力値に比べて所望値だけ低圧になるように設定されている
ことを特徴とする吸引捕集装置。
【請求項２】
所望の物質を吸引して捕集する吸引捕集装置であって、
開口部及び前記開口部を開閉可能、かつ、気密性を保持して閉塞する開閉手段とを有する気密性ハウジングと、
サイクロン式分離器又はフィルター式分離器と、
前記サイクロン式分離器のサイクロン筒体部内又は前記フィルター式分離器のフィルターハウス部内を吸引減圧する減圧手段と、
前記ハウジングの天壁部の下面に設けた略円形リング状の取付部と、
入口用開口端部を前記リング状の取付部に嵌合させて前記取付部に取外し可能に固定して前記ハウジング内に収容して装着される袋状体と、
前記サイクロン式分離器の空気排出口部又は前記フィルター式分離器の空気排出口部と前記吸引減圧手段とを接続させる第１の吸引用管路と、
一端を前記リング状の取付部の外側エリアに位置させて前記天壁部に設けた減圧用吸引口部と接続させると共に他端を前記第１の吸引用管路に接続させて設けた第２の吸引用管路とを備え、
前記サイクロン式分離器又は前記フィルター式分離器の固形物排出口部は、前記リング状の取付部の内側エリアに位置させ、前記天壁部を貫通させて開口されていると共に前記天壁部は前記固形物排出口部で支持させて装着され、
前記サイクロン式分離器又は前記フィルター式分離器を圧力抵抗手段として利用し、前記ハウジング内における前記袋状体の外側部の圧力値を前記袋状体内の圧力値に比べて所望値だけ低圧になるように設定されている
ことを特徴とする吸引捕集装置。
【請求項３】
請求項１又は２に記載の吸引捕集装置において、
前記ハウジングは、上端に開口部を有する容器本体と、前記開口部を開閉する密閉蓋部とを備えて構成され、
前記天壁部は前記蓋部で構成されていることを特徴とする吸引捕集装置。
【請求項４】
請求項１又は２に記載の吸引捕集装置において、
前記ハウジングは、側壁部に開口部を有する容器本体と、前記開口部を開閉する密閉扉部とを備えて構成され、
前記天壁部は前記容器本体の天板部で構成されていることを特徴とする吸引捕集装置。
【発明の詳細な説明】
【技術分野】
【０００１】
本発明は所望の物質を吸引して捕集する吸引捕集装置に関する。さらに詳しくは、ゴミ，ダスト，土，砂，穀物，小麦粉等の紛体、その他の各種の所望の物質を吸引して捕集する吸引捕集装置に関する。
【背景技術】
【０００２】
従来、例えば掃除機においては、一般にダストポット（容器）を備え、ゴミやダスト等を吸引してダストポット内へ捕集する構成（先行技術１）を採用している（例えば、特許文献１、２等参照）。
【０００３】
また、集塵機においては、例えばダストやゴミなどを排出するダスト排出口にダスト受け容器やダストホッパー（貯蔵槽）等を取付けて、ダスト等を前記容器等内へ捕集する構成（先行技術２）を一般に採用している。
【０００４】
さらにまた、例えば穀類や粉類等においては、サイロ等を袋や容器等に所定量づつ小分けして充填する方法（先行技術３）を一般に採用している。
【先行技術文献】
【特許文献】
【０００５】
【特許文献１】特開２０１２−１１２５３号公報
【特許文献２】特開２００３−１９４４６号公報
【発明の概要】
【発明が解決しようとする課題】
【０００６】
しかし、先行技術１によると、ダストポットに捕集したダスト等を袋に入れ替える作業が必要になるので、手間が掛かると共に入れ替え作業中にダスト等が飛散する問題も生じる。先行技術２においても前記と同様の問題を有している。
また、先行技術３によると、ホッパーを備えたサイロ等の設備が必要になるため、設備が大掛かりになり、設備費が大になる問題を有している。
【０００７】
本発明は上記のような事情に鑑みてなされたものであって、本発明の１つの目的は先行技術１及び２の有する上述したような問題を解消して、ダストやゴミその他の所望の物質を簡単かつ効率よく良好に捕集できる吸引捕集装置を提供することにある。
【０００８】
また、本発明の他の１つの目的は、先行技術３の有する上述したような問題を解消し、サイロやホッパー等の設備を設けることなく、穀物や粉類その他の所望の物質を簡単かつ円滑良好に捕集できる吸引捕集装置を提供することを目的とするものである。
【課題を解決するための手段】
【０００９】
上記目的を達成するため、本発明のうち、１つの発明（第１の発明）は、所望の物質を吸引して捕集する吸引捕集装置であって、
開口部及び前記開口部を開閉可能、かつ、気密性を保持して閉塞する開閉手段とを有する気密性ハウジングと、
前記ハウジング内を吸引減圧する吸引減圧手段と、
前記ハウジングの天壁部の下面に設けた略円形リング状の取付部と、
入口用開口端部を前記リング状の取付部に嵌合させて前記取付部に取外し可能に固定して前記ハウジング内に収容して装着される袋状体と、
前記リング状の取付部の内側エリアに位置させて前記天壁部に設けた第１の減圧用吸引口部と、
前記リング状の取付部の外側エリアに位置させて前記天壁部に設けた第２の減圧用吸引口部と、
前記リング状の取付部の内側エリアに位置させて前記天壁部に設け、吸引される物質を前記袋状体内に投入させる投入口部と、
前記第１の減圧用吸引口部と前記吸引減圧手段の吸引用入口部とを接続させる第１の吸引用管路と、
前記第１の吸引用管路中に介装して設け、吸引圧力を調整する抵抗手段と、
一端を前記第２の減圧用吸引口部に接続させると共に他端を前記第１の吸引用管路中の前記抵抗手段と前記吸引減圧手段との間の部位に位置させて前記第１の吸引用管路に接続させて設けた第２の吸引用管路とを備え、
前記抵抗手段により、前記第１の吸引用管路の吸引圧力値を前記第２の吸引用管路の吸引圧力値に比べて所望値だけ小となるように設定されていることを特徴とする。
【００１０】
上記発明（第１の発明）によれば、気密性ハウジング内は吸引減圧手段により減圧されるが、抵抗手段により、第１の吸引管路の吸引圧力値を第２の吸引用管路の吸引圧力値に比べて所望値だけ小となるように設定されている。そのため、前記ハウジング内の袋状体の内側及び外側の圧力値は、抵抗手段によって生じる圧力損失により内側＞外側のように圧力差（外側の方が低圧力）を設けて減圧される。したがって、袋状体の外側の圧力が低いため、袋状体は外側に向かって膨らむことになるので、袋状体が吸引により、つぶれる（収縮）ことはない。
【００１１】
一方、上記のようにハウジング内は減圧されるので、前記減圧に伴って発生する吸引力は投入口部に吸入力として作用する。したがって、投入口部に例えば物質用の吸入管部材等の基端部を接続し、その先端側を所望の部位に臨ませることにより、所望の物質（目的物）は順次吸引（吸入）され、投入口部から袋状体内へ吸い込まれて順次投入されて捕集される。そして、上記したように袋状体は膨らんだ状態を保持しているので、前記投入される物質は袋状体内に整然かつ良好に捕集される。
【００１２】
本発明の他の１つの発明（第２の発明）は所望の物質を吸引して捕集する吸引捕集装置であって、
開口部及び前記開口部を開閉可能、かつ、気密性を保持して閉塞する開閉手段とを有する気密性ハウジングと、
サイクロン式分離器又はフィルター式分離器と、
前記サイクロン式分離器のサイクロン筒体部内又は前記フィルター式分離器のフィルターハウス部内を吸引減圧する減圧手段と、
前記ハウジングの天壁部の下面に設けた略円形リング状の取付部と、
入口用開口端部を前記リング状の取付部に嵌合させて前記取付部に取外し可能に固定して前記ハウジング内に収容して装着される袋状体と、
前記サイクロン式分離器の空気排出口部又は前記フィルター式分離器の空気排出口部と前記吸引減圧手段とを接続させる第１の吸引用管路と、
一端を前記リング状の取付部の外側エリアに位置させて前記天壁部に設けた減圧用吸引口部と接続させると共に他端を前記第１の吸引用管路に接続させて設けた第２の吸引用管路とを備え、
前記サイクロン式分離器又は前記フィルター式分離器の固形物排出口部は、前記リング状の取付部の内側エリアに位置させ、前記天壁部を貫通させて開口されていると共に前記天壁部は前記固形物排出口部で支持させて装着され、
前記サイクロン式分離器又は前記フィルター式分離器を圧力抵抗手段として利用し、前記ハウジング内における前記袋状体の外側部の圧力値を前記袋状体内の圧力値に比べて所望値だけ低圧になるように設定されていることを特徴とする。
【００１３】
なお、本発明において、「サイクロン式分離器（機）」とは、遠心力を利用して、空気と塵を分離回収する装置、即ち、サイクロンの原理を利用した集塵機（サイクロン集塵機）、及びその他のサイクロンの原理を利用して気体（空気）と固形物を分離して固形物を回収する気体・固体（固形物）分離装置を意味する用語として使用されている。
また、「フィルター式分離器（機）」とは、バグフィルターを用いた方式の集塵機（バグフィルター集塵機）、及びバグフィルター（円筒状フィルター），スクリーン状フィルター、その他のフィルターを用いて気体（空気）と固形物を分離して固形物を回収する気体・固体（固形物）分離装置を意味する用語として使用されている。
【００１４】
第２の発明によれば、前記ハウジング内の袋状体の内側及び外側の圧力値は、前記サイクロン式分離器又はフィルター式分離器を圧力抵抗手段として生じる圧力損失により、第１の発明と同様に、内側＞外側のように圧力差（外側の方が低圧力）を設けて減圧される。そのため、袋状体の外側の圧力が低いため、袋状体は外側に向って膨らむことになるので、袋状体が吸引により、つぶれる（収縮）ことはない。
【００１５】
したがって、前記分離器で分離されて固形物排出口部から落下するダスト等は前記袋状体内に充填して捕集される。また、前記分離器で分離された分離品（固形物）は固形物排出口部から落下して袋状体内に順次充填して捕集される。そして、上記したように袋状体は膨らんだ状態を保持しているので、前記落下するダスト等及び分離品は袋状体内に整然かつ良好に捕集される。
【００１６】
本発明の他の１つの発明（第３の発明）は、第１又は第２の発明の吸引捕集装置において、前記ハウジングは、上端に開口部を有する容器本体と、前記開口部を開閉する密閉蓋部とを備えて構成され、前記天壁部は前記蓋部で構成されていることを特徴とする。
【００１７】
本発明のさらに他の１つの発明（第４の発明）は、第１又は第２の発明の吸引捕集装置において、前記ハウジングは、側壁部に開口部を有する容器本体と、前記開口部を開閉する密閉扉部とを備えて構成され、前記天壁部は前記容器本体の天板部で構成されていることを特徴とする。
【００１８】
本発明の吸引捕集装置において、吸引して捕集する物質は特に限定するものではなく、例えば、ゴミ，ダスト，土，砂，米や麦その他の穀類，小麦粉その他の粉類，セメントその他の各種物質の吸引捕集用として広範囲に適用可能である。
【発明の効果】
【００１９】
本発明によれば、次のような作用効果を奏する。
（１）各種の物質を簡単かつ効率よく吸引して袋状体内に捕集することができる。
（２）袋状体は膨らませた状態を保持しているので、各種の物質を袋状体内に円滑かつ良好に捕集することができる。
（３）各種の物質を袋状体内に直接充填して捕集するので、入れ替える手間を省略できる。
（４）上記（３）により、入れ替え作業中に生じるダスト等の飛散の問題を解消することができる。
（５）サイロやホッパー等の設備を設けることなく、穀類や粉類その他の各種の物質を簡単かつ円滑良好に吸引して袋状体内に捕集することができる。
（６）ハウジングを計量器上に載置し、或いはハウジングに計量器を取付けて使用することにより、袋状体内に充填される物質の重量（分量）を計測しながら袋状体内へ充填することができる。
（７）放射能汚染土等の回収用としても有効的に使用できる。
（８）第２の発明によれば、上記効果に加え、サイクロン式分離器（機）又はフィルター式分離器（機）の固形物排出口部から落下するダスト等、及び分離品（分離物質）を袋状体内に円滑良好に充填して捕集することができる。
【図面の簡単な説明】
【００２０】
【図１】本発明の一実施形態の吸引捕集装置の原理的構成を概略的に示す説明図であって、同図（ａ）は縦断面説明図、同図（ｂ）は同図（ａ）の一部を拡大して示す縦断面説明図である。
【図２】図２（ａ）は前記吸引捕集装置の全体構成を概略的に示す正面説明図、図２（ｂ）は同図（ａ）の装置の一部を拡大して示す縦断面説明図である。
【図３】前記装置をセットする工程を示す説明図であって、同図（ａ）は気密性ハウジングをセットする前の状態を示す説明図、同図（ｂ）は袋状体を取外し可能に固定して装着する工程を示す説明図、同図（ｃ）は密閉蓋部を閉蓋する工程を示す説明図である。
【図４】本発明の他の実施形態の吸引捕集装置の全体構成を概略的に示す縦断面説明図である。
【図５】図４の前記装置の一部を拡大して示す縦断面説明図である。
【図６】図４の前記装置に採用した密閉蓋部を容器本体に着脱可能に固定する固定金具の一例の構成を概略的に示す図であって、同図（ａ）は平面説明図、同図（ｂ）は同図（ａ）のＡ−Ａ線拡大断面説明図である。
【図７】図４の前記装置をセットする工程を示す説明図であって、同図（ａ）は気密性ハウジングをセットする前の状態を示す説明図、同図（ｂ）は袋状体を取外し可能に固定して装着する工程を示す説明図、同図（ｃ）は密閉蓋部を閉蓋する工程を示す説明図である。
【図８】本発明のさらに他の実施形態の吸引捕集装置の全体構成を概略的に示す説明斜視図である。
【図９】図８の前記装置をセットする工程を示す説明図であって、同図（ａ）は気密性ハウジングの構成を概略的に示す説明斜視図、同図（ｂ）は袋状体を取外し可能に固定して装着する状態を示す説明斜視図である。
【図１０】本発明のさらに他の実施形態の吸引捕集装置の全体構成を概略的に示す説明斜視図である。
【図１１】図１０の前記装置の一部を拡大し、その構成を概略的に示す縦断面説明図である。
【図１２】本発明のさらに他の実施形態の吸引捕集装置の全体構成を概略的に示す説明斜視図である。
【図１３】図１２の前記装置の一部を拡大し、その構成を概略的に示す縦断面説明図である。
【発明を実施するための形態】
【００２１】
以下、図面を参照して本発明の実施形態の一例を説明する。
【００２２】
図１ないし図３は本発明の一実施形態の吸引捕集装置を示す。これら図１ないし図３に示すように、本実施形態（実施形態１）の吸引捕集装置は、気密性ハウジング１、吸引減圧手段２、円形リング状の取付部３、袋状体４、第１の減圧用吸引口部５Ａ、第２の減圧用吸引口部５Ｂ、第１の吸引用管路５０、第２の吸引用管路５１、抵抗手段５２、及び投入口部６とを備える。
【００２３】
また、実施形態１の吸引捕集装置は、図２に示すように、略四角形の枠形状の機体７を備え、前記吸引捕集装置は機体７に配置して構成されている。機体はハウジング１等の大きさ等に応じて所望の大きさに形成できる。なお、機体７は、例えば作業用自動車（図示せず）の荷台に搭載可能な大きさに形成する構成を採用することもできる。この場合においては、ハウジング等の大きさも機体７に対応するように形成される。
【００２４】
前記ハウジング１の大きさは特に限定するものではなく、用途等に応じて任意に決定できる。ハウジング１は、開口部及び前記開口部を開閉可能、かつ、気密性を保持して閉塞する開閉手段を備えている。
【００２５】
実施形態１のハウジング１は、一端（図において上端）を開口して開口部１１を形成した円筒状の容器本体１０と、開口部１１を開閉する密閉蓋部１２とを備えて構成されている。前記容器本体１０は、例えばドラム缶等を採用することができる。
【００２６】
前記蓋部は、下面における周縁部に沿わせて固定して設けたシールパッキン１３を備え、開口部１１を気密性を保持して閉蓋するように構成されている。
【００２７】
上記のように、実施形態１のハウジング１は、前記容器本体１０と前記蓋部１２とで構成されている。また、ハウジング１の前記開口部は容器本体１０の開口部１１で構成されている。さらにまた、ハウジング１の後述する天壁部は前記蓋部１２で構成されている。
【００２８】
前記吸引減圧手段２は、ハウジング内を吸引減圧する手段である。吸引減圧手段２としては、例えば高圧排風機や高圧吸引ブロア、或いは真空ポンプ等を採用できる。
【００２９】
前記円形リング状の取付部３は、ハウジング１の天壁部（本実施形態では前記蓋部１２）の下面に溶接その他の手段で固定して設けてある。前記取付部３は前記袋状体４を取外し可能に固定して装着するものである。リング状の取付部３の大きさ（直径）は特に限定するものではなく、容器本体１０の直径等に応じて設定できるものであるが、容器本体１０の上端部の内壁面との間に所望巾の環状空隙部３０を形成する大きさに設定できる。
【００３０】
前記袋状体４は、リング状の取付部３に取外し可能に装着し、後述するように投入口部６から投入される所望の各種の物質を充填させて捕集するものである。袋状体４の容積はハウジングの容積やリング状の取付部３の直径等に応じて所望の大きさのものを任意に選択して採用する。袋状体４は捕集する目的の物質の量等に応じて所望数用意する。
【００３１】
袋状体４は、市販の各種袋やバッグ状の袋状体等から用途目的に応じて適当に選択して採用できる。例えば、プラスチックシート製その他の袋やフレキシブル・コンテナバック（通称フレコンバッグ）等を採用することができる。
【００３２】
袋状体４は、その入口用開口端部をリング状の取付部３に嵌合し、固定用バンドその他の固定手段４０により取外し可能に固定してハウジング１内に収容して使用される。実施形態１では、固定手段４０として固定用バンドを採用した例が開示されている。
【００３３】
前記第１の減圧用吸引口部５Ａは、リング状の取付部３の内側エリアの部位に位置させてハウジング１の天壁部（実施形態１では前記蓋部１２）に気密に設けてある。実施形態１の前記吸引口部５Ａは、前記蓋部１２の略中心部に位置させて設けてある。
【００３４】
前記第２の減圧用吸引口部５Ｂは、リング状の取付部３の外側エリアの部位に位置させてハウジング１の天壁部（実施形態１では前記蓋部１２）に気密に設けてある。これにより、第２の減圧用吸引口部５Ｂは、前記蓋部１２を閉蓋した際に前記取付部３と容器本体１０の上端部の内壁面との間に形成された環状空隙部３０の部位に位置させるように設けてある。
【００３５】
前記第１の吸引用管路５０は、第１の減圧用吸引口部５Ａと吸引減圧手段２の吸引用入口部２０とを気密に接続して設けてある。これにより、吸引減圧手段２を駆動することにより、ハウジング１内（主にハウジングの袋状体４内）の圧力（空気圧）は、図１（ａ）の矢印ａで示すように第１の減圧用吸引口部５Ａから第１の吸引用管路５０を介して吸引され、減圧される。前記吸引用管路５０としては、例えばホース等を採用することができる。
【００３６】
なお、実施形態１は、第１の減圧用吸引口部５Ａの上端に気密に接続して設けた略Ｌ字形の接続管５３を備える。そして、第１の吸引用管路５０の一端は接続管５３の先端に気密に接続され、接続管５３を介して前記口部５Ａと接続する構成を採用している。
【００３７】
前記抵抗手段５２は第１の吸引用管路５０中に介装して設けてある。抵抗手段５２は第１の吸引用管路５０による吸引圧力を調整するものである。抵抗手段５２としては、例えばオリフィスや絞り弁等を採用できる。なお、抵抗手段５２については追ってさらに説明する。
【００３８】
前記第２の吸引用管路５１は、一端を第２の減圧用吸引口部５Ｂに気密に接続させると共に他端を第１の吸引用管路中の抵抗手段５２と吸引減圧手段２との間の部位に位置させて第１の吸引用管路５０に気密に接続して設けてある。これにより、ハウジング内の袋状体４の外側部の圧力（空気圧）は、図１（ａ）の矢印ｂで示すように第２の減圧用吸引口部５Ｂから第２及び第１の吸引用管路５０を介して吸引され、減圧される。前記第２の吸引用管路５１としては、例えばホース等を採用できる。
【００３９】
抵抗手段５２は上述したように第１の吸引用管路５０による吸引圧力を調整するものである。そして、実施形態１においては、抵抗手段５２により、第１の吸引用管路５０の吸引圧力値を第２の吸引用管路５１の吸引圧力値に比べて所望値だけ小となるように設定するように構成してある。即ち、例えば第２の吸引用管路５１の吸引圧力値を１００とし、第１の吸引用管路５０の吸引圧力値を約８５ないし約９０程度になるように圧力差を設けて設定されている。
【００４０】
上記構成により、ハウジング１内の袋状体４の外側部の圧力の方が袋状体４の内側部の圧力より低圧力になるので、袋状体４は図１（ａ）の矢印ｃ，ｃで示すように外側へ向って吸引されて膨らむことになる。そのため、袋状体４が第１の減圧用吸引口部５Ａによる吸引により、つぶれる（収縮）のを防止できる。
【００４１】
前記投入口部６は、リング状の取付部３の内側エリア内の所望部位に位置させてハウジング１の天壁部（実施形態１では前記蓋部１２）に気密に設けてある。投入口部６は物質吸引用管部材６０で吸引して輸送される所望の物質（目的物）をハウジングの袋状体内へ投入するものである。
【００４２】
前記管部材６０は基端部を投入口部６に接続して設けられる。管部材６０としては、吸引捕集する物質等に応じて、例えば、ホースで構成したもの、或いはホースの先端に吸入ノズルを取付けて構成したもの、その他の所望の型式等に構成したものを採用できる。
【００４３】
一方、上述したようにハウジング内は減圧されるので、この減圧に伴って発生する吸引力は投入口部６に吸引力（吸い込み力）として作用する。したがって、前記管部材６０の先端側を所望の目的の部位に臨ませることにより、所望の物質（目的物）は順次吸引（吸入）されて輸送され、図１（ａ）に矢印ｄで示すように、投入口部６から袋状体４内へ吸い込まれて順次捕集される。そして、上記したように、袋状体４は膨らんだ状態を保持しているので、前記投入される物質は袋状体内に整然かつ円滑良好に充填して捕集される。
【００４４】
実施形態１の吸引捕集装置は、図２、図３に示すように、密閉蓋部１２を昇降する蓋部昇降手段５４を備える。昇降手段５４は、下端を蓋部１２側の所望部位（図示では接続管５３）に固定して略鉛直に立設した昇降作動杆５４ａと、機体７の頂部側の適当部に配置して設け、作動杆５４ａを昇降作動するモータ５４ｂ等を含む作動機構、圧力センサ（図示せず）及びスイッチ等を備える。
【００４５】
上記構成により、昇降手段５４により作動杆５４ａを介して蓋部１２を昇降させ、容器本体１０の開口部１１を開閉するように構成してある。また、蓋部１２の容器本体１０の上端に対する当接圧力をセンサで検知して調整し、蓋部１２で容器本体１０の開口部１１を気密性を保持して閉蓋させるように構成されている。
【００４６】
次に使用方法等について図３等を参照して説明する。図３（ａ）に示すように、蓋部１２を上昇状態にしておく。そして、容器本体１０を蓋部１２の直下に配置する。
【００４７】
次いで図３（ｂ）に示すように、袋状体４の下半部側を容器本体１０内に収容し、袋状体４の入口用開口部を開いてリング状の取付部３に嵌合して固定手段４０により取外し可能に固定する。上記のように袋状体４を蓋部１２のリング状の取付部３に取外し可能に固定して装着する。
【００４８】
次いで図３（ｃ）に示すように、蓋部１２を容器本体１０上に下降させて容器本体１０の開口部１１を気密に閉蓋する。これにより、袋状体は前記取付部に取外し可能に固定されてハウジング内に収容して装着される。上記により、セットは完了し、この状態で使用する。なお、図３には、第１及び第２の吸引用管路５０，５１及び物質吸引用管部材６０は図示してないが、これら各部材は前記セット作業を行なう前、或いはセット完了後に所定部に接続する（通常はセット作業を行なう前に接続）。
【００４９】
上記状態で吸引減圧手段２を駆動してハウジング１内を減圧する。そして、管部材６０の先端側を所望の目的物の部位に臨ませることにより、所望の物質（目的物）は管部材内に順次吸引（吸入）されて輸送され、投入口部６から袋状体４内へ順次吸い込まれて投入され、袋状体内に充填されて捕集される。
【００５０】
上記のように目的の物質を袋状体内に所定量捕集した後、吸引減圧手段２の駆動を停止する。そして、蓋部１２を上昇して容器本体から分離する。次いで、固定手段４０による固定を解除して、目的物が充填されている袋状体を容器本体内に降ろして収容する。
【００５１】
上記作業を終了後、容器本体を所望の場所へ移動し、目的物を充填した袋状体を容器本体から取り出して所望の場所へ保管する等の後処理作業を行なう。上記作業を繰返して行なうことにより、所望の物質を吸引捕集するものである。
【００５２】
なお、図面には開示してないが、上記作業を行なう際に、容器本体１０を例えば計量器上に載置した状態で上述した作業を行なうことにより、袋状体内に充填される物質の容量（分量）を計測しながら袋状体内へ充填して捕集することができる。
【００５３】
実施形態１の吸引捕集装置によれば次のような作用効果を奏する。
（１）各種の物質を簡単かつ効率よく吸引して袋状体内に直接充填して捕集することができる。
（２）袋状体内は膨らませた状態を保持しているので、各種の物質を袋状体内に整然かつ円滑良好に投入充填して捕集することができる。
（３）各種の物質を袋状体内に直接充填して捕集するので、入れ替えの手間を省略できる。
（４）上記（３）により、入れ替え作業中に生じるダスト等の飛散の問題を解消することができる。
（５）サイロやホッパー等の設備を設けることなく、穀類や粉類その他の物質を簡単かつ円滑良好に吸引して袋状体内に充填して捕集することができる。
（６）ハウジングの容器本体を例えば計量器上に載置し、或いはハウジングに計量器を取付けて使用することにより、袋状体内に充填される物質の重量（分量）を計測しながら袋状体内に充填して捕集することができる。
（７）放射能汚染土等の回収用としても有効的に使用することができる。
【００５４】
図４ないし図７は本発明の他の実施形態（実施形態２）の吸引捕集装置を示す。なお、実施形態２において、実施形態１で既に説明した構成と共通する構成部等には同一符号を付して説明を省略する。この点については後述する各実施形態においても同様である。実施形態２は気密性ハウジングの開閉手段の構成等に特徴がある。
【００５５】
実施形態２の吸引捕集装置は、気密性ハウジング１を構成する気密性容器の容器本体１０の開口部１１へ密閉蓋部１２を閉蓋した状態で本体１０の上端外周部へ蓋部１２の外周部を着脱可能にロックして固定する固定金具１４を備える。
【００５６】
固定金具１４は、図６に示すように、略Ｕ字状断面の金属材で容器本体１０の直径と対応する直径の円形リング状に形成した固定金具本体１４ａと、この本体の両端部に取付けて設け、操作レバーを操作して解除可能にロックするロック手段１４ｂとを備える。
【００５７】
気密性容器は、容器本体１０の開口部１１へ密閉蓋部１２を閉蓋した状態で金具本体１４ａを両者へ嵌合して容器本体の上端外周部及び蓋部１２の外周部を金具本体１４ａの略Ｕ字形溝部１４ｃへ挟入し、ロック手段１４ｂのレバーを操作して締め付けることにより解除自在にロックして両者を一体的に固定するように構成してある。なお、前記固定金具１４は公知の開閉蓋付きのドラム缶に採用されている固定金具と同様に構成されている。また、固定金具１４は一例として開示したもので、図示以外の構成のものを採用できること勿論である。
【００５８】
また、実施形態２においては、密閉蓋部１２を機体７の頂部側の適当部に略水平に固定して配置されている。実施形態２では、取付杆１５により蓋部１２を機体７に固定して取付けた例が開示されている。この場合、蓋体１２は図示以外の任意の手段により機体７に固定して設ける構成を採用してもよいこと勿論である。他の構成は実施形態１と同様である。
【００５９】
次に実施形態２の吸引捕集装置の使用方法等について説明する。図７（ａ）に示すように、容器本体１０を蓋部１２の下方部に配置する。次いで図７（ｂ）に示すように、袋状体４の下半部側を容器本体内に収容し、袋状体４の入口用開口部を開いてリング状の取付部３に嵌合して固定手段４０により取外し可能に固定する。上記のように袋状体４を蓋部１２の取付部３に取外し可能に固定して装着する。なお、この場合において、袋状体４の下半部側は上記のように蓋部１２に固定した後、容器本体１０内に収容してもよい。
【００６０】
次いで図７（ｃ）に示すように、容器本体１０を持ち上げて容器本体の開口部を蓋部１２で閉塞するように両者を合致させて当接する。そして、上記状態で固定金具１４により容器本体１０を蓋部１２に着脱自在にロックして固定し、容器本体の開口部を気密に閉蓋する。
【００６１】
上記作業により、袋状体は前記取付部に取外し可能に固定されてハウジング内に収容して装着される。また、容器本体は蓋部に固定して吊り下げられ、セットは完了する。そして、この状態で実施形態１と同様に操作して所望の物質（目的物）を吸引（吸入）して袋状体内に捕集する。
【００６２】
上記のように目的の物質を袋状体内に所定量充填して捕集した後、実施形態１と同様に吸引減圧手段の駆動を停止する。そして、固定金具のロックを解除して容器本体１０を元の位置に降ろす。また、固定手段４０による固定を解除して目的物が充填されている袋状体を容器本体内に降ろして収容する。
【００６３】
上記作業を終了後、実施形態１と同様に容器本体を所望の場所へ移動し、目的物を充填した袋状体を容器本体から取り出して所望の場所等へ保管する等の後処理作業を行なう。上記作業を繰返して行なうことにより、所望の物質を吸引して袋状体内に捕集するものである。これにより、実施形態１と同様の作用効果を奏する。
【００６４】
図８ないし図９は本発明のさらに他の実施形態（実施形態３）の吸引捕集装置を示す。実施形態３は気密性のハウジングの構成等に特徴がある。
【００６５】
実施形態３の吸引捕集装置において、気密性のハウジング１Ａは、所望の大きさの略四角形の箱形に形成し、側壁部に開口部１１Ａを有する容器本体１０Ａと、開口部１１Ａを開閉可能、かつ、気密性を保持して閉塞する密閉扉部１２Ａとを備えて構成されている。実施形態３の扉部１２Ａは左右の扉が中央から両側に開くように形成した観音開き方式形で構成した例を開示してある。この場合、扉部は一方側へ開く片開き方式形を採用できること勿論である。
【００６６】
上記のように、実施形態３のハウジング１Ａは、側壁部に開口部１１Ａを有する容器本体１０Ａと、開口部１１Ａを開閉する扉部１２Ａとで構成されている。また、ハウジング１Ａの天壁部は容器本体１０Ａの天板部１６で構成されている。
【００６７】
そして、円形リング状の取付部３、第１及び第２の減圧用吸引口部５Ａ，５Ｂ、及び投入口部６は天板部１６に設けてある。図において、１７…１７は袋状体４の吊り下げ用ロープを示す。他の構成は実施形態１と同様である。
【００６８】
次に実施形態３の吸引捕集装置の使用方法等について説明する。図９（ａ）に示すように、両扉部１２Ａを開く。そして、図９（ｂ）に示すように、袋状体４の入口用開口部を開いてリング状の取付部３に嵌合して固定手段４０により取外し可能に固定して容器本体１０Ａ内に吊り下げて装着する。
【００６９】
また、ロープ１７により袋状体４の所望部を吊り下げる。この場合、ロープ１７による吊り下げ作業は補助的に行うもので、ロープ１７の吊り下げ作業（したがって、ロープ１７）は省略することも可能である。
【００７０】
次いで図８に示すように両扉部１２Ａを閉じてハウジング１Ａの開口部１１Ａを気密に閉塞し、セットは完了する。そして、この状態で実施形態１と同様に操作して所望の物質（目的物）を吸引（吸入）して袋状体４内に充填して捕集する。
【００７１】
上記のように目的の物質を袋状体４内に所定量充填して捕集した後、実施形態１と同様に吸引減圧手段の駆動を停止する。そして、扉部１２Ａを開けて固定手段による固定を解除して袋状体４を取付部から取外し、袋状体を容器本体１０Ａの底板上に降ろす。
【００７２】
そして、目的物を充填した袋状体を容器本体から取り出して所望の場所等へ移動し、保管する等の後処理作業を行なう。上記作業を繰返して行なうことにより、所望の物質を吸引して袋状体内に充填して捕集するものである。これにより、実施形態１と同様の作用効果を奏する。
【００７３】
図１０及び図１１は本発明のさらに他の実施形態（実施形態４）の吸引捕集装置を示す。実施形態４は、サイクロン式分離器（機）８を備えた構成に特徴がある。
【００７４】
本発明において、サイクロン式分離器（機）とは、上述したように、遠心力を利用して、空気とダスト等（塵等）を分離して回収する装置、即ち、サイクロンの原理を利用した集塵機（サイクロン集塵機）、及びその他のサイクロンの原理を利用して気体（空気）と固形物とを遠心分離して固形物を回収する気体・固体（固形物）分離装置である。サイクロン式分離器８は公知の各種型式のものを採用できる。また、既設の各種のサイクロン集塵機、その他の各種型式のサイクロン式分離器を利用することも可能である。
【００７５】
実施形態４のサイクロン式分離器（機）８は、サイクロン筒体部８０と、吸入口部８１と、空気排出口部８２（減圧用吸引口部）と、固形物排出口部８３とを備える。
【００７６】
前記吸入口部８１は、前記筒体部８０の上端部に位置させて前記筒体部８０の内径断面の円周接線に沿うように設けられている。前記空気排出口部８２は前記筒体部８０の上端部の略中心部に設けてある。また、固形物排出口部８３は前記筒体部８０の下端部に形成されている。
【００７７】
実施形態４のサイクロン式分離器は上記構成を具備している。そして、サイクロン筒体部８０内を負圧にすることにより、例えば集塵機の場合には、吸入口部から吸い込まれた空気とダスト等は筒体部内で渦巻き状の気流を形成し、比重の重いダスト等が遠心分離して筒体部の内壁に沿って落下し、排出口部８３から排出し、空気は空気排出口部８２から排出するように構成されている。
また、穀類や粉類その他の各種の物質の場合についても、前記と同様に筒体部内で空気と遠心分離され、穀類等の物質は落下して固形物排出口部から排出するように構成されている。
【００７８】
なお、前記サイクロン式分離器は一例として開示したもので、上述したように、前記以外の構成のサイクロン式分離器を採用できること勿論である。
【００７９】
サイクロン式分離器８の空気排出口部８２は、第１の吸引用管路５０により吸引減圧手段２の吸引用入口部２０と気密に接続されている。これにより、吸引減圧手段２を駆動することにより、サイクロン筒体部８０内の圧力は吸引され、減圧（負圧）される。
【００８０】
そして、前記筒体部８０内が負圧になると、吸入口部８１に吸引力が発生し、吸入口部８１から吸い込まれる空気と塵，ゴミ，穀類，粉類その他の各種の物質は上述したように筒体部８０内で遠心分離され、塵，ゴミ，穀類その他の各種物質は順次落下して排出口部８３から排出される。
また、上記課程において、吸引減圧手段２による吸引力は、筒体部８０が圧力抵抗（抵抗手段）になり、圧力損失が生じる。
【００８１】
実施形態４の気密性ハウジング１Ｂは実施形態２の前記ハウジング１と略同様の構成を具備して構成されている。前記分離器８の固形物排出口部８３はハウジング１Ｂの前記リング状の取付部３の内側エリアに位置させ、前記天壁部（実施形態４では密閉蓋部１２）を貫通させて開口されている。そして、密閉蓋部１２（天壁部）は前記排出口部８３に溶接し、或いはボルトナット等で着脱自在に支持させる等により取付けてある。ハウジング１Ｂの他の構成は実施形態２と同様である。但し、前記投入口部６は具備していない。
【００８２】
実施形態４の吸引捕集装置は、リング状の取付部３の外側部に位置させて天壁部（密閉蓋部１２）に設けた減圧用吸引口部５Ｂを第２の吸引用管路５１により第１の吸引用管路５０と気密に接続してある。これにより、ハウジング１Ｂ内の袋状体４の外側部は吸引口部５Ｂ，第２の吸引用管路５１及び第１の吸引用管路５０を介して吸引減圧させるように構成されている。
【００８３】
そして、サイクロン式分離器８の前記筒体部８０を抵抗手段として利用し、ハウジング内における袋状体４の外部側の圧力値を袋状体４内の圧力値に比べて所望値だけ低圧になるように設定されている。
【００８４】
上記構成により、吸引減圧手段２を駆動すると、ハウジング１Ｂ内の袋状体４の外部側の圧力（負圧）の方が袋状体４の内側部の圧力（負圧）より低圧になるので、袋状体は外側へ向って膨らむことになる。そのため、袋状体が排出口部８３側による吸引により、つぶれる（収縮）のを防止する。
【００８５】
次に実施形態４の吸引捕集装置の使用方法等について説明する。実施形態２と同様の作業による袋状体４を蓋部１２の取付部３に取外し可能に固定して装着する。次いで実施形態２と同様に容器本体１０を持ち上げて容器本体の開口部１１を蓋部１２で閉蓋するように両者を合致させて当接する。そして、上記状態で固定金具１４により容器本体１０を蓋部１２に着脱自在にロックして固定し、容器本体の開口部を気密に閉蓋する。
【００８６】
上記作業により、袋状体は取付部に取外し可能に固定されてハウジング内に収容して装着される。また、容器本体は蓋部に固定して吊り下げられ、セットは完了する。この状態で吸引減圧手段２を駆動することにより、例えば集塵機の場合には、上述したように、吸入口部から吸い込まれた空気とダスト等は筒体部内で分離してダスト等は落下し、排出口部８３から排出して袋状体内に順次充填されて捕集される。
【００８７】
上記のようにダスト等はサイクロン筒体部内で空気と分離され、袋状体内に捕集される。袋状体内に捕集されたダスト等を処分する場合には、吸引減圧手段を停止する。そして、固定金具のロックを解除して容器本体１０を降ろす。そして固定手段４０による固定を解除してダスト等が充填されている袋状体を容器本体内に降ろして収容する。
【００８８】
上記作業を終了後、容器本体を所望の場所へ移動し、ダスト等を充填した袋状体を容器本体から取り出して廃棄処分する等、後処理作業を行なう。これにより、固形物排出口部から落下するダスト等を袋状体内に充填して捕集し、後処理作業等を円滑に行なうことができる。
【００８９】
一方、穀類や粉類その他の所望の物質を捕集する場合には、上記と同様に操作してハウジングをセットする。また、吸入口部にホースその他の物質吸引用管部材（図示せず）を接続する。
【００９０】
上記状態で吸引減圧手段２を駆動する。そして、管部材の先端側を所望の目的物の部位に臨ませることにより、所望の物質（目的物）は管部材を介して輸送され吸入口部から筒体部８０内へ吸い込まれる。そして、筒体部内で目的物は空気と分離（遠心分離）されて落下し、排出口部８３から排出して袋状体内に順次充填されて捕集される。
【００９１】
上記のように目的の物質を袋状体内に所定量捕集した後、吸引減圧手段２の駆動を停止する。そして、上記と同様に固定金具のロックを解除すると共に固定手段による固定を解除して目的物が充填されている袋状体を容器本体内に降ろして収容する。
【００９２】
上記作業を終了後、容器本体を所望の場所へ移動し、目的物を充填した袋状体を容器本体から取り出して所望の場所へ保管する等の後処理作業を行なう。上記作業を繰返して行なうことにより、所望の物質を吸引して分離し、この分離物（分離品）を捕集することができる。
【００９３】
なお、図面には開示していないが、上記作業を行なう際に、ハウジングの適当部に計量計（重量センサー等）を取付けた状態で上述した作業を行なうことにより、袋状体内に充填される物質の容量（分量）を計測しながら袋状体内へ充填して捕集することができる。
【００９４】
実施形態４の吸引捕集装置によれば、実施形態１の吸引捕集装置について述べた（１）ないし（７）の作用効果に加え、サイクロン式分離器（機）の固形物排出口部から排出されるダスト等を袋状体内に円滑良好に捕集することができる。また、穀類や粉類その他の各種物質を吸引して前記分離器で空気と分離させ、排出口部から落下する分離品（分離物質）を袋状体内に整然かつ円滑良好に充填して捕集することができる。
【００９５】
図１２及び図１３は本発明のさらに他の実施形態（実施形態５）の吸引捕集装置を示す。実施形態５は、フィルター式分離器（機）９を備えた構成に特徴がある。
【００９６】
本発明において、フィルター式分離器（機）とは、上述したように、バグフィルターを用いた方式の集塵機（バグフィルター集塵機）、及びバグフィルター（円筒状フィルター）、スクリーン状フィルター、その他のフィルターを用いて気体（空気）と固形物を分離して回収する気体・固体（固形物）分離装置である。フィルター式分離器９は公知の各種型式のものを採用できる。また、既設の各種のバグフィルター式集塵機等のフィルター集塵機、その他の各種型式のフィルター式分離器を利用することも可能である。
【００９７】
実施形態５のフィルター式分離器９は、バグフィルターその他のフィルター（図示せず）を内蔵したフィルターハウス部９０と、吸入口部９１と、空気排出口部９２（減圧用吸引口部）と、固形物排出口部９３とを備える。
【００９８】
前記吸入口部９１は、前記ハウス９０の下方部側に位置させて設けてある。前記空気排出口部９２は前記ハウス９０の上端部側へ適当部（図示では上端部の略中心部）に設けてある。また、固形物排出口部９３は前記ハウス９０の下端部に形成されている。
【００９９】
実施形態５のフィルター式分離器は上記構成を具備している。そして、フィルターハウス９０内を負圧にすることにより、例えば集塵機の場合には、吸入口部９１から吸い込まれた含塵空気（ダスト等を含有する空気）は、フィルターハウス９０のフィルターでろ過されて分離してダスト等は落下し、排出口部９２から落下排出し、空気は空気排出口部９２から排出するように構成されている。
また、穀類や粉類その他の各種の物質の場合についても、前記と同様にハウス内で空気と穀類その他の物質に分離され、穀類等その他の物質は落下して固形物排出口部９３から排出するように構成されている。
【０１００】
なお、前記フィルター式分離器は一例として開示したもので、上述したように、図示以外の構成のフィルター式分離器を採用できること勿論のことである。
【０１０１】
フィルター式分離器９の空気排出口部９２は、第１の吸引用管路５０により吸引減圧手段２の吸引用入口部２０と気密に接続されている。これにより、吸引減圧手段２を駆動することにより、フィルターハウス９０内の圧力は吸引され、減圧（負圧）される。
【０１０２】
そして、ハウス９０内が負圧になると、吸入口部９１に吸引力が発生し、吸入口部から空気と一緒に吸い込まれるダスト，ゴミ，穀類，粉類その他の各種の物質は上述したように空気と分離され、ダスト，ゴミ，穀類その他の各種物質は順次落下して排出口部９２から排出される。
また、上記過程において、吸引減圧手段２による吸引力は、フィルターハウス９０が圧力抵抗（抵抗手段）になり、圧力損失が生じる。
【０１０３】
実施形態５の気密性ハウジング１Ｂは、実施形態２の前記ハウジング１及び実施形態４の前記ハウジング１Ｂと略同様の構成を具備している。前記分離器９の固形物排出口部９３はハウジング１Ｂの前記リング状の取付部３の内側エリアに位置させ、前記天壁部（実施形態５では密閉蓋部１２）を貫通させて開口されている。そして、密閉蓋部１２（天壁部）は排出口部９３に溶接して固定し、或いはボルトナット等で着脱自在に固定して支持させる等により取付けてある。ハウジング１Ｂの他の構成は実施形態２と同様である。但し、前記投入口部６は具備していない。
【０１０４】
実施形態５の吸引捕集装置は、リング状の取付部３の外側部に位置させて天壁部（密閉蓋部１２）に設けた減圧用吸引口部５Ｂを第２の吸引用管路５１により第１の吸引用管路５０と気密に接続してある。これにより、ハウジング１Ｂ内の袋状体４の外側部は吸引口部５Ｂ，第２の吸引用管路５１及び第１の吸引用管路５０を介して吸引減圧させるように構成されている。
【０１０５】
そして、フィルター式分離器９のフィルターハウス９０を抵抗手段として利用し、ハウジング１Ｂ内における袋状体４の外側部の圧力値を袋状体４内の圧力値に比べて所望値だけ低圧になるように設定されている。
【０１０６】
上記構成により、吸引減圧手段２を駆動することにより、ハウジング１Ｂ内の圧力は、袋状体４の外側部の圧力（負圧）の方が袋状体４内の圧力（負圧）より低圧になるので、袋状体４は外側へ向って膨らむことになる。そのため、袋状体が排出口部９２側による吸引により、つぶれる（収縮）のを防止する。
【０１０７】
実施形態５の吸引捕集装置は上記のように構成し、実施形態４の吸引捕集装置と同様に使用される。これにより、実施形態４と同様の作用効果を奏する。
【０１０８】
なお、実施形態４及び５においては、気密性ハウジング１Ｂとして、実施形態２の気密性ハウジング１と同様に構成したものを採用した例を開示してある。この場合、気密性ハウジング１Ｂは、実施形態３の気密性ハウジング１Ａのように構成した気密性ハウジングを採用できること勿論である。
【０１０９】
また、上記した各実施形態は一例として開示したもので、本発明は上記の実施形態に限定されるものではなく、特許請求の範囲に記載の技術思想を越脱しない範囲において任意に変更可能なものである。
【符号の説明】
【０１１０】
１      気密性ハウジング
２      吸引減圧手段
３      略円形リング状の取付部
４      袋状体
５Ａ    第１の減圧用吸引口部
５Ｂ    第２の減圧用吸引口部
６      投入口部
１０    容器本体
１１    開口部
１２    密閉蓋部
２０    吸引減圧手段の吸引用入口部
４０    固定手段
５０    第１の吸引用管路
５１    第２の吸引用管路
５２    抵抗手段
【図１】
2014117650.tif 000003
【図２】
2014117650.tif 000004
【図３】
2014117650.tif 000005
【図４】
2014117650.tif 000006
【図５】
2014117650.tif 000007
【図６】
2014117650.tif 000008
【図７】
2014117650.tif 000009
【図８】
2014117650.tif 000010
【図９】
2014117650.tif 000011
【図１０】
2014117650.tif 000012
【図１１】
2014117650.tif 000013
【図１２】
2014117650.tif 000014
【図１３】
2014117650.tif 000015